(57)【要約】  電子キーシステム（１）は、複数の電子機器（１０）とサーバ（３０）とがネットワーク接続されているネットワークにおいて、各電子機器（１０）のＩＤ情報の出力のロックとアンロックを管理する。各電子機器（１０）は、切替手段（１７５）を備えている。切替手段は、各電子機器（１０）のＩＤ情報の出力をロックまたはアンロックする。サーバ（３０）は、使用可能変更手段と管理手段（３０３）を備えている。使用可能変更手段（３０３）は、複数の電子機器（１０）のうち、一つのみをアンロックし、他の電子機器（１０）をロックする。管理手段（３０３）は、いずれか二つの電子機器（１０）においてＩＤ情報の出力のロックとアンロックが交換される状態を更新する。
2013180044.tif 000002
【特許請求の範囲】
【請求項１】
複数の電子機器とサーバとがネットワーク接続されているネットワークにおいて、各電子機器のＩＤ情報の出力のロックとアンロックを管理する電子キーシステムであって、
各電子機器は、そのＩＤ情報の出力をロックまたはアンロックする切替手段を備え、
前記サーバは、前記複数の電子機器のうち、一つのみをアンロックし、他の電子機器はロックする使用可能変更手段と、いずれか二つの電子機器においてＩＤ情報の出力のロックとアンロックが交換される状態を更新する管理手段と、を備える、電子キーシステム。
【請求項２】
前記サーバは、前記複数の電子機器のアンロック及びロック状態を示すテーブルを備える、請求項１に記載の電子キーシステム。
【請求項３】
前記電子機器は、ＩＤ情報の出力がアンロック状態のとき、ＩＤ情報を出力する前に、前記サーバと識別認証を行う通信手段を備えた、請求項１または２に記載の電子キーシステム。
【請求項４】
前記管理手段は、いずれか二つの電子機器がサーバに接続されて、それらの電子機器からＩＤ情報の出力のロックとアンロックの交換要求が出されると、それらの電子機器の識別認証後に前記テーブルを更新する、請求項２または３に記載の電子キーシステム。
【請求項５】
前記電子機器は、
近距離無線通信手段と、
前記サーバが備えるテーブルと同一内容のクローンテーブルを備え、
いずれか二つの電子機器が前記近距離無線通信手段で接続され、それらの電子機器間において、ＩＤ情報の出力のロックとアンロックの交換要求が出されると、それらの電子機器の識別認証後に、第一の段階で前記クローンテーブルを更新し、第二の段階で前記サーバの管理手段が前記テーブルを更新する、請求項２乃至４のいずれかに記載の電子キーシステム。
【請求項６】
前記管理手段は、いずれか一つの電子機器がサーバに接続されて、その電子機器と他の一つの電子機器とにおいて、ＩＤ情報の出力のロックとアンロックの交換要求が出されると、
前記サーバに接続された電子機器の識別認証後に、前記サーバの管理手段が前記テーブルを更新し、
前記他の一つの電子機器がサーバに接続されたときに、その電子機器の識別認証後に、前記更新したテーブルに基づいて、この電子機器の切替手段にＩＤ情報の出力を切り替えさせる、請求項２乃至４のいずれかに記載の電子キーシステム。
【発明の詳細な説明】
【技術分野】
【０００１】
この発明は、複数の電子機器のＩＤ情報の出力をサーバにより管理する電子キーシステムに関する。
【背景技術】
【０００２】
近時、携帯電話、ノートパソコン、ＩＣカードなど、携帯可能な電子機器の種類が増加している。これに伴い、個人が携帯する電子機器の数が増加している。【０００３】
携帯可能な電子機器には、個人の認証、電子マネーの電子決済、または自動車や住宅の施錠や解錠などに用いるＩＤ情報を記憶しているものがある。このような電子機器を不注意や盗難などにより紛失すると、紛失した電子機器を取得した第三者にＩＤ情報を使用される可能性がある。そのため、ＩＤ情報を記憶している電子機器を紛失したときに、ＩＤ情報を読み出せないように対策が必要である。【０００４】
そこで、従来、電子機器と電子機器保護装置にセキュリティ鍵を記憶させておき、電子機器の電源オン時に電子機器保護装置とセキュリティ鍵の認証を行い、認証された場合のみ、その電子機器を操作可能とする電子機器保護システムが開示されている（特許文献１参照。）。
【先行技術文献】
【特許文献】
【０００５】
【特許文献１】特表２００９−５３０６９２号公報
【発明の概要】
【発明が解決しようとする課題】
【０００６】
特許文献１に記載のシステムでは、セキュリティ鍵が認証されると電子機器の電源をオフするまで自由に操作可能であり、電子機器にＩＤ情報を記憶させた場合、電子機器の電源をオフするまで、ＩＤ情報を自由に使用できる。【０００７】
そのため、複数の電子機器を同時に携帯するユーザが、電子機器の使用後に電源をオフにするのを忘れた一部の電子機器を紛失した場合、この電子機器を取得した第三者にＩＤ情報を使用されるおそれがある。【０００８】
そこで、本発明は、電源がオンである電子機器を紛失しても、電子機器が記憶するＩＤ情報を第三者に使用されるのを防止する電子キーシステムを提供することを目的とする。
【課題を解決するための手段】
【０００９】
この発明の電子キーシステムは、複数の電子機器とサーバとがネットワーク接続されているネットワークにおいて、各電子機器のＩＤ情報の出力のロックとアンロックを管理する。各電子機器は、切替手段を備えている。切替手段は、各電子機器のＩＤ情報の出力をロックまたはアンロックする。サーバは、使用可能変更手段と管理手段を備えている。使用可能変更手段は、複数の電子機器のうち、一つのみをアンロックし、他の電子機器はロックする。管理手段は、いずれか二つの電子機器においてＩＤ情報の出力のロックとアンロックが交換される状態を更新する。【００１０】
本発明において、ＩＤ情報の出力のロックとは、ＩＤ情報を読み出すことができず、電子決済や認証の用途に用いることができないようにすることである。また、ＩＤ情報の出力のアンロックとは、ＩＤ情報を出力して電子決済や認証の用途に用いることができるようにすることである。【００１１】
この構成では、複数の電子機器のうち一つの電子機器だけ、ＩＤ情報の出力をアンロックし、他の電子機器はロックする。このように、ＩＤ情報の出力をアンロック状態にする電子機器の数を１つに制限することで、他の電子機器については、電源がオンであってもＩＤ情報の出力がロックされている。そのため、ＩＤ情報の出力がロックされている電子機器を紛失したとしても、紛失した電子機器を取得した第三者はＩＤ情報を使用できず、ＩＤ情報の使用防止できる。また、従来のように、電子機器のＩＤ情報の出力をロックするために、電子機器の電源をオフにする必要がないので、ユーザの利便性がよくなる。また、ＩＤ情報の出力をアンロック状態にする電子機器の数を１つに制限することで、ＩＤ情報の盗難の可能性を低減できる。【００１２】
上記発明において、サーバは、複数の電子機器のアンロック及びロック状態を示すテーブルを備えている。【００１３】
この構成では、サーバにより、複数の電子機器のアンロック及びロック状態を管理する。これにより、ＩＤ情報の出力をアンロック状態にする電子機器の数を常に１つにすることができる。【００１４】
上記発明において、電子機器は、通信手段を備えている。通信手段は、ＩＤ情報の出力がアンロック状態のとき、ＩＤ情報を出力する前にサーバと識別認証を行う。【００１５】
この構成では、電子機器は、ＩＤ情報を出力する前に、サーバと識別認証するので、この電子機器が予め登録されているか否かや、ＩＤ情報の出力を許可しても問題ないかなどを確認できる。これにより、ＩＤ情報を第三者に使用されるのを防止できる。【００１６】
上記発明において、管理手段は、いずれか二つの電子機器がサーバに接続されて、それらの電子機器からＩＤ情報の出力のロックとアンロックの交換要求が出されると、それらの電子機器の識別認証後にテーブルを更新する。【００１７】
この構成では、電子機器においてＩＤ情報の出力のロックとアンロックが交換されると、テーブルが更新されるので、サーバにおいて、各電子機器のＩＤ情報の出力のロックとアンロックの状態を常に管理できる。【００１８】
上記発明において、電子機器は、近距離無線通信手段と、サーバが備えるテーブルと同一内容のクローンテーブルを備えている。また、電子キーシステムでは、いずれか二つの電子機器が近距離無線通信手段で接続され、それらの電子機器間において、ＩＤ情報の出力のロックとアンロックの交換要求が出されると、それらの電子機器の識別認証後に、第一の段階でクローンテーブルを更新し、第二の段階でサーバの管理手段がテーブルを更新する。【００１９】
この構成では、電子機器は、クローンテーブルと近距離無線通信手段を備えているので、サーバを介さずに電子機器間でＩＤ情報の出力のロックとアンロックを交換できる。これにより、電子機器を、サーバと通信できない場所でも、電子機器のＩＤ情報をロックからアンロックに切り換えて使用できる。また、クローンテーブルが更新された後に、電子機器とサーバが通信可能なときに、サーバのテーブル管理手段が更新されるので、電子キーシステムにおける各電子機器のＩＤ情報の出力のロックとアンロックの状態について整合をとることができる。【００２０】
上記発明において、管理手段は、いずれか一つの電子機器がサーバに接続されて、その電子機器と他の一つの電子機器とにおいて、ＩＤ情報の出力のロックとアンロックの交換要求が出されると、サーバに接続された電子機器の識別認証後に、サーバの管理手段がテーブルを更新する。また、他の一つの電子機器がサーバに接続されたときに、その電子機器の識別認証後に、更新後のテーブルに基づいて、この電子機器の切替手段にＩＤ情報の出力を切り替えさせる。【００２１】
この構成では、二つの電子機器のうち一方の電子機器と通信ができない場合でも、ＩＤ情報の出力のロックとアンロックを交換できる。したがって、ＩＤ情報の出力がアンロック状態の電子機器を紛失した場合でも、ＩＤ情報の出力がロック状態の電子機器をアンロック状態に切り替えて、ＩＤ情報を使用することができる。
【発明の効果】
【００２２】
この発明によれば、電源がオンである電子機器を紛失しても、電子機器が記憶するＩＤ情報を第三者に使用されるのを防止できる。
【図面の簡単な説明】
【００２３】
【図１】電子キーシステムの概略を示す構成図である。
【図２】（Ａ）は、スマートフォンの構成を示すブロック図である。（Ｂ）は、サーバの構成を示すブロック図である。
【図３】各電子機器のＩＤとユニークＩＤキーまたはノーマルＩＤキーのいずれである。示すテーブルである。
【図４】ＩＣカードとリードライタの構成を示すブロック図である。
【図５】スマートフォンとＩＣカードの間で電子キー交換処理を行うときのイメージ図である。
【図６】（Ａ）は、ユーザがスマートフォンとＩＣカードを携帯している状態を示すイメージ図である。（Ｂ）は、ユーザがスマートフォンを紛失して、ＩＣカードだけを携帯している状態を示すイメージ図である。（Ｃ）は、紛失したスマートフォンと、携帯しているＩＣカードと、の電子キーを交換するときのイメージ図である。
【図７】電子キー交換処理を説明するためのフローチャートである。
【発明を実施するための形態】
【００２４】
図１に示すように、電子キーシステム１は、電子機器１０、サーバ３０、及びリーダ／ライタ機器（以下、Ｒ／Ｗ機器と称する。）４０を備えている。電子機器１０とＲ／Ｗ機器４０は、ネットワーク空間において、有線または無線でサーバ３０とネットワーク５０を介して接続されている。
【００２５】
ユーザ１００は、複数の電子機器１０を所有している。ユーザ１００が所有する複数の電子機器１０は、一例として、腕時計１１、デジタルカメラ１３、ノートＰＣ１５、スマートフォン１７、及びＩＣカード２１である。
【００２６】
各電子機器１０は、通話機能や撮影機能など機器固有の機能をそれぞれ備えている。また、各電子機器１０は、それぞれＩＤ情報を記憶している。このＩＤ情報は、個人の認証、電子マネーの電子決済、自動車や住宅の施錠及び解錠などの認証の用途に用いられる。
【００２７】
ＩＤ情報を使用する場合、ＩＤ情報を記憶している電子機器とＩＤ情報の読み取り装置との間で無線通信を行い、読み出したＩＤ情報を用いて、認証や電子決済などを行う。なお、ＩＤ情報は暗号化しておくことで、電子機器を紛失したときに、この電子機器を取得した第三者がＩＤ情報を使用するのをより困難にすることができる。
【００２８】
電子キーシステム１では、複数の電子機器１０のうち、一つの電子機器のみＩＤ情報の出力をアンロックされ、他の残り電子機器はＩＤ情報の出力をロックされている。例えば、図１に示すように、スマートフォン１７のみＩＤ情報の出力をアンロックされ、他の電子機器はＩＤ情報の出力をロックされている。詳細は後述するが、各電子機器は、アンロックとロックを切り替えることができる。
【００２９】
サーバ３０は、電子機器１０の情報を管理する。また、サーバ３０は、複数の電子機器１０のうち一つの電子機器１０のみＩＤ情報の出力がアンロックされるようにＩＤ情報の使用を制御する制御部３０３（詳細は後述）を備えている。制御部３０３は、使用可能変更手段に相当する。サーバ３０は、データセンタなどに設置されている。
【００３０】
Ｒ／Ｗ機器４０は、電子マネーの電子決済を行うときなどに、電子機器１０が記憶するＩＤ情報の読み出しを行う端末である。また、Ｒ／Ｗ機器４０は、電子機器１０を紛失したときに、ＩＤ情報の使用を制限する処理に用いられる。Ｒ／Ｗ機器４０は、コンビニエンスストアなどのユーザが立ち寄りやすい場所に設置されている。
【００３１】
電子機器１０の一例であるスマートフォン１７は以下のような構成である。図２（Ａ）に示すように、スマートフォン１７は、通話や内蔵ソフトを動作させる機能部１７１の他に、キー記憶部１７２、キー通信部１７３、外部通信部１７４、操作部１７５、表示部１７６、及び制御部１７７を備えている。
【００３２】
キー記憶部１７２は、ＩＤキーを記憶する。ＩＤキーは、それぞれＩＤが設定された電子キーである。ＩＤキーは、フラグの有無により、ユニークＩＤキーまたはノーマルＩＤキーに設定される。すなわち、フラグを立っているとき（フラグ有のとき）にはユニークＩＤキーとし、フラグを立っていないとき（フラグ無のとき）にはノーマルＩＤキーに設定される。キー記憶部１７２が記憶するＩＤキーがユニークＩＤキーの場合には、ＩＤ情報の出力がアンロック状態になり、ＩＤ情報を出力して電子決済や認証の用途に用いることができる。一方、キー記憶部１７２が記憶するＩＤキーがノーマルＩＤキーの場合には、ＩＤ情報の出力がロック状態になり、ＩＤ情報を電子決済や認証の用途に用いることができない。前記のように、電子キーシステム１では、複数の電子機器１０のうち任意の１台のみ、ユニークＩＤキーが付与される。また、ユニークＩＤキーを付与されている電子機器１０以外の全ての電子機器１０にノーマルＩＤキーが付与される。
【００３３】
キー記憶部１７２は、図３に示すように各電子機器１０に付与されているＩＤキーの情報を示すクローンテーブルを記憶している。このクローンテーブルの元になるテーブルは、後述するようにサーバ３０が管理している。クローンテーブルには、サーバ３０が管理するテーブルと同一内容が記載されている。このテーブルには、予めＩＤキーが付与された電子機器名、各電子機器に付与されている異なるＩＤ、ＩＤキーがユニークＩＤキーとノーマルＩＤキーのいずれに設定されているかなどの情報が記載されている。各電子機器１０は、サーバ３０と通信するときなどにクローンテーブルの内容を更新する。
【００３４】
キー通信部１７３は、近距離無線通信手段に相当し、キー記憶部１７２のＩＤキーを書き換えるときに、他の電子機器１０またはＲ／Ｗ機器４０と通信する。キー通信部１７３は、ＮＦＣ（Near Field Communication）による近距離無線通信機能（以下、単にＮＦＣと称する。）を有している。ＮＦＣとしては、ＴｙｐｅＡ、ＴｙｐｅＢ、Ｆｅｌｉｃａ（登録商標）など、いずれの規格も適用可能である。
【００３５】
外部通信部１７４は、ネットワーク５０を介してサーバ３０と通信する。
【００３６】
操作部１７５は、切替手段に相当し、ＩＤ情報の出力のロックとアンロックの交換要求操作など、ユーザの操作を受け付ける。
【００３７】
表示部１７６は、ユーザに伝達する事項を表示する。
【００３８】
制御部１７７は、操作部１７５でＩＤ情報の読み出し指示を受け付けると、キー記憶部１７２が、ユニークＩＤキーとノーマルＩＤキーのいずれを記憶しているかを確認する。制御部１７７は、キー記憶部１７２がユニークＩＤキーを記憶しているときには、キー記憶部１７２からＩＤ情報を読み出す。制御部１７７は、キー記憶部１７２がノーマルＩＤキーを記憶しているときには、キー記憶部１７２からＩＤ情報を読み出さない。
【００３９】
制御部１７７は、ＩＤ情報を読み出す必要がある場合には、後述のように、キー記憶部１７２で記憶するクローンテーブルに基づいて、ユニークＩＤキーを記憶している電子機器１０と、キー通信部１７３により電子キーを交換する。また、制御部１７７は、キー記憶部１７２がユニークＩＤキーを記憶しているときに、他の電子機器１０において電子キーの交換操作が発生すると、キー通信部１７３により電子キーを交換する。
【００４０】
なお、各電子機器１０は、ＩＣカード２１を除き、スマートフォン１７と同様の構成である。
【００４１】
図２（Ｂ）に示すように、サーバ３０は、機器情報記憶部３０１と、通信部３０２と、制御部３０３を備えている。
【００４２】
機器情報記憶部３０１は、図３に示すテーブルのように、各ＩＤキーのＩＤ、各電子機器がユニークＩＤキーとノーマルＩＤキーのいずれを付与されているかを記憶している。
【００４３】
通信部３０２は、ネットワーク５０を介して複数の電子機器１０及びＲ／Ｗ機器４０と通信する。
【００４４】
制御部３０３は、管理手段に相当し、電子機器１０のＩＤ情報の読み出しが発生した際に、通信部３０２で通信して、登録された電子キーであるかを確認する。そして、ＩＤ情報の読み出しを許可または不許可する。
【００４５】
図４に示すように、ＩＣカード２１は、キー記憶部２１２、近距離無線通信部２１３、及び表示部２１４を備えている。
【００４６】
キー記憶部２１２は、スマートフォン１７と同様、ＩＤが設定された電子キーであるＩＤキーを記憶している。このＩＤキーは、ＩＤフラグの有無によりユニークＩＤキーまたはノーマルＩＤキーのいずれかに設定される。
【００４７】
近距離無線通信部２１３は、Ｒ／Ｗ機器４０がＩＣカード２１のＩＤ情報の読み出しを行ったときに、キー記憶部２１２から電子キーのＩＤ情報を読み出して、Ｒ／Ｗ機器４０に送信する。また、近距離無線通信部２１３は、Ｒ／Ｗ機器４０から受信した電子キーの情報をキー記憶部２１２に書き込む。
【００４８】
表示部２１４は、キー記憶部２１２がユニークＩＤキーとノーマルＩＤキーのいずれを記憶しているかを表示する。
【００４９】
ＩＣカード２１は、蓄電デバイスを内蔵していてもよい。蓄電デバイスとしては、一次電池、二次電池、電気二重層キャパシタでも、太陽電池や振動発電などの発電素子と、二次電池または電気二重層キャパシタと、を組み合わせたものでもよい。これらは、例えば、表示部２１４の点滅用の電源として使用される。
【００５０】
図４に示すように、Ｒ／Ｗ機器４０は、操作部４０１と、外部通信部４０２と、リード／ライト部（以下、Ｒ／Ｗ部と称する。）４０３と、制御部４０４と、表示部４０５を備えている。
【００５１】
操作部４０１は、ユーザの入力や指示を受け付ける。
【００５２】
外部通信部４０２は、サーバ３０と通信する。
【００５３】
Ｒ／Ｗ部４０３は、電子機器１０とＮＦＣにより近距離無線通信を行って、ＩＤキーのＩＤ情報の読み出しなどを行う。
【００５４】
制御部４０４は、操作部４０１で受け付けた操作に応じて、外部通信部４０２とＲ／Ｗ部４０３を制御する。
【００５５】
表示部４０５は、ユーザに伝達する事項を表示する。
【００５６】
電子キーシステム１では、前記のように、複数の電子機器のうち任意の１台の電子キーがユニークＩＤキーに設定される。また、ユニークＩＤキーに設定された電子機器以外の全電子機器は、電子キーがノーマルＩＤキーに設定されている。
【００５７】
例えば、スマートフォン１７がキー記憶部１７２で記憶するＩＤキーがユニークＩＤキーに設定されているときには、ユニークＩＤキーのＩＤ情報を読み出して使用することができる。スマートフォン１７は、ＩＤ情報の読み出しを行うときには、サーバ３０と通信して識別認証を行う。このとき、サーバ３０は、スマートフォン１７のユニークＩＤキーのＩＤ情報を確認し、ユニークＩＤキーのＩＤがテーブルに予め登録されたものであれば、また、紛失情報などが登録されていなければ、ＩＤ情報の使用を許可する。例えば、ユーザは、コンビニエンスストアなどで、商品を購入する際に、スマートフォン１７のユニークＩＤキーを用いて電子マネーの電子決済を行うことができる。
【００５８】
一方、電子キーシステム１では、例えばスマートフォン１７がキー記憶部１７２においてノーマルＩＤキーを記憶しているときには、ノーマルＩＤキーのＩＤ情報を読み出して使用することができない。
【００５９】
ユーザ１００は、ノーマルＩＤキーが付与された第１の電子機器のＩＤ情報を使用するときには、ユニークＩＤキーが付与された第２の電子機器と、ＩＤ情報の出力のロックとアンロックの状態を交換する。具体的には以下のようにして行う。
【００６０】
一例として、ユーザ１００は、スマートフォン１７とＩＣカード２１を携帯している場合を説明する。図５（Ａ）に示すように、スマートフォン１７はアンロック状態、ＩＣカード２１はロック状態である。なお、スマートフォン１７の表示部１７６にはアンロック状態である旨が表示されている。また、ＩＣカード２１は、電池を内蔵しており、アンロック状態のときにはＬＥＤ（表示部２１４）が点滅し、ロック状態のときにはＬＥＤが消灯している。
【００６１】
ユーザ１００は、スマートフォン１７のＩＤ情報の出力をアンロックしてＩＤ情報を使用するときには、ロック状態のスマートフォン１７とアンロック状態のＩＣカード２１を近接させる。そして、スマートフォン１７の操作部１７５を操作して、ロック／アンロックの交換処理を開始させる。
【００６２】
スマートフォン１７の制御部１７７は、ロック／アンロックの交換処理を受け付けると、ＩＣカード２１の間でＮＦＣによるＩＤの識別認証を行う。すなわち、スマートフォン１７の制御部１７７は、キー通信部１７３からＩＤキーの情報の送信要求を送信する。ＩＣカード２１の近距離無線通信部２１３は、キー記憶部２１２からＩＤキー（ノーマルＩＤキー）の情報を読み出して、スマートフォン１７へ送信する。スマートフォン１７の制御部１７７は、ノーマルＩＤキーの情報（登録番号情報）を受信すると、ＩＣカード２１のノーマルＩＤキーのＩＤ情報が、キー記憶部１７２から読み出したテーブルに登録されているか否かを確認する。
【００６３】
制御部１７７は、ＩＣカード２１のノーマルＩＤキーのＩＤが、キー記憶部１７２から読み出した機器情報のテーブルに含まれていれば、登録済のＩＣカード２１であるので、識別認証後にスマートフォン１７及びＩＣカード２１のＩＤキーを変更する。
【００６４】
すなわち、制御部１７７は、キー通信部１７３からＩＤキーの変更要求を送信する。ＩＣカード２１の近距離無線通信部２１３は、ＩＤキーの変更要求を受信すると、キー記憶部２１２のＩＤキーのフラグを無しにして、ＩＤキーをユニークＩＤキーからノーマルＩＤキーに変更する。ＩＣカード２１の近距離無線通信部２１３は、ユニークＩＤキーを受信すると、キー記憶部２１２に記憶させ、表示部２１４のＬＥＤを点滅させる。
【００６５】
制御部１７７は、キー記憶部１７２のＩＤキーのフラグを有りにして、ノーマルＩＤキーからユニークＩＤキーに変更する。そして、制御部１７７は、キー記憶部１７２が記憶するクローンテーブルの内容を、上記の変更内容に基づいて更新する。
【００６６】
また、制御部１７７は、ネットワーク５０を介してサーバ３０と通信可能なときに、クローンテーブルの更新内容、すなわち、スマートフォン１７とＩＣカード２１の間でロック／アンロックの交換処理を行ったことを、サーバ３０に送信する。サーバ３０の制御部３０３は、スマートフォン１７の制御部１７７からの情報に基づいて、機器情報記憶部３０１で記憶するテーブルをその交換内容に更新する。
【００６７】
以上の処理により、図５（Ｂ）に示すように、スマートフォン１７のＩＤキーはノーマルＩＤキーに設定され、ＩＣカード２１のＩＤキーがユニークＩＤキーに設定される。ユーザ１００は、例えば、コンビニエンスストアに設置されたＲ／Ｗ機器４０とＩＣカード２１とに近距離無線通信を実行させて、電子マネーの電子決済を行うことができる。
【００６８】
なお、前記のように、電子キーシステム１では、ＩＣカード２１のＩＤ情報を読み出して電子決済を行う前に、電子キーの識別認証を行う。例えば、Ｒ／Ｗ機器４０は、ＩＣカード２１が記憶する電子キーが、ユニークＩＤキーであり、かつ、ユニークＩＤキーのＩＤが予め登録されたものであるか否かをサーバ３０に問い合わせて確認する。その結果、ユニークＩＤキーが予め登録されているときには、ＩＤ情報の利用を許可する。一方、ユニークＩＤキーが予め登録されていないとき、及び電子キーがノーマルＩＤキーであるときには、ＩＤ情報の使用を不許可にする。これにより、ユーザ１００が複数の電子機器１０を携帯していても、１台の電子機器のＩＤ情報のみ利用できるように、ＩＤ情報の利用を制限できる。また、ＩＤ情報の不正使用を防止できる。
【００６９】
なお、図５（Ｂ）に示すように、ＩＤ情報の出力をアンロックされているのがＩＣカード２１で、ＩＤ情報の出力をロックされているのがスマートフォン１７の場合でも、上記のように、両者の間でＮＦＣによる直接無線通信を行うことで、ロック／アンロックの交換処理を行うことができる。
【００７０】
また、スマートフォン１７とＩＣカード２１との間でＮＦＣによる直接無線通信を行うので、携帯網の電波の届かないところでも通信可能であり、近距離無線通信のために電力消費を抑制できる。
【００７１】
上記の例では、スマートフォン１７のキー記憶部１７２で記憶するクローンテーブルのＩＤ情報と、ＩＣカード２１のＩＤキーとを識別認証したが、この方法に限らず、スマートフォン１７からネットワーク５０を介してサーバ３０にアクセスし、サーバ３０の機器情報記憶部に記憶されているテーブルのＩＤ情報と、ＩＣカード２１のＩＤキーとを識別認証してもよい。
【００７２】
このように、複数の電子機器のうち一つの電子機器だけＩＤ情報の出力をアンロックすることで、ユーザ１００は例えば次のような使用形態が可能となる。
【００７３】
（１）ユーザ１００がジョギングをする際に、できるだけ身軽になりたいために腕時計１１のみＩＤ情報の出力をアンロックした状態で携帯し、他の電子機器はＩＤ情報の出力をロックした状態で所定の場所に安全に保管しておくことができる。
【００７４】
（２）スマートフォン１７のような多機能な電子機器の持ち込みが制限されている施設において、ユーザ１００が、機能が限定されているＩＣカード２１のみＩＤ情報の出力をアンロックした状態で携帯し、他の電子機器はＩＤ情報の出力をロックした状態で所定の場所に安全に保管しておくことができる。
【００７５】
次に、本発明では、ユニークＩＤキーを記憶する電子機器を紛失したときには、Ｒ／Ｗ機器４０及びサーバ３０を使用して電子ロック／アンロックの交換処理を行うことで、紛失した電子機器のユニークＩＤキーをノーマルＩＤキーに変更できる。
【００７６】
以下、この処理について説明する。
【００７７】
図６（Ａ）に示すように、ユーザ１００は、アンロック状態のスマートフォン１７、及びロック状態のＩＣカード２１を携帯していたが、図６（Ｂ）に示すようにスマートフォン１７を誤って紛失した。この状態では、スマートフォン１７のＩＤ情報を第三者に使用されるおそれがある。また、ユーザ１００が携帯しているＩＣカード２１はロック状態なので、ユーザ１００は、ＩＣカード２１のＩＤ情報を使用できない。
【００７８】
このような場合には、図６（Ｃ）に示すように、ユーザ１００は、例えば、前記のようにコンビニエンスストアに設置されているＲ／Ｗ機器４０により、ロック状態であるＩＣカード２１と紛失したスマートフォン１７の電子キーの交換処理を行う。
【００７９】
具体的には、ユーザ１００は、ＩＤ情報の出力のロック／アンロックの交換処理を行うときには、まず、Ｒ／Ｗ機器４０の操作部４０１を操作して、アンロック状態の（ユニークＩＤキーを記憶する）電子機器を紛失したこと、及びＩＤ情報の出力のロック／アンロックの交換処理を申請する。
【００８０】
図７に示すように、Ｒ／Ｗ機器４０の制御部４０４は、操作部４０１で、紛失申請を受け付けると（Ｓ１：Ｙ）、ユーザ１００の本人確認のための入力を指示する表示を表示部４０５に表示する（Ｓ２、Ｓ３：Ｎ）。ユーザ１００は、表示部４０５の表示に従って、本人確認のための情報を入力する。ユーザ１００は、例えば、ユーザ１００が予め登録しているパスワードやユーザ１００の生年月日などを入力する。
【００８１】
制御部４０４は、本人確認情報が入力されると（Ｓ３：Ｙ）、入力された本人確認情報を外部通信部４０２からサーバ３０に送信する（Ｓ４、Ｓ５：Ｎ）。
【００８２】
サーバ３０の制御部３０３は、Ｒ／Ｗ機器４０から本人確認情報を受信すると（Ｓ２１）、機器情報記憶部３０１で記憶するユーザ１００の登録情報に基づいてユーザ１００の本人確認を行う（Ｓ２２）。制御部３０３は、本人確認の結果をＲ／Ｗ機器４０に送信する（Ｓ２３）。
【００８３】
制御部４０４は、本人確認の結果を受信すると（Ｓ５：Ｙ）、結果を確認する。制御部４０４は、結果に問題があれば（Ｓ６：Ｎ）、処理を終了する。一方、制御部４０４は、結果に問題がなければ（Ｓ６：Ｙ）、続いて、ＩＣカード２１をＲ／Ｗ機器４０に近接させるように指示を表示部４０５に表示する（Ｓ７）。ユーザ１００は、ＩＣカード２１をＲ／Ｗ機器４０に近接させる。このとき、ＮＦＣを用いたＩＤの識別認証が開始される。
【００８４】
制御部４０４は、ＩＣカード２１と近距離無線通信ができないときには（Ｓ８：Ｎ）、その旨を表示して処理を終了する。
【００８５】
制御部４０４は、ＩＣカード２１が近接されており、近距離無線通信が可能であると（Ｓ８：Ｙ）、ＮＦＣを用いたＩＤ認証を実行する。すなわち、制御部４０４は、ＩＣカード２１がキー記憶部２１２で記憶するノーマルＩＤキーのＩＤを読み出す。そして、このＩＤ情報をサーバ３０に送信する（Ｓ９）。
【００８６】
サーバ３０の制御部３０３は、Ｒ／Ｗ機器４０からＩＤ情報を受信すると（Ｓ２４）、機器情報記憶部３０１で記憶するテーブルからＩＤ情報を読み出して、ＩＣカード２１のＩＤが予め登録されているものであるか否かを確認する（Ｓ２５）。制御部３０３は、ＩＣカード２１のＩＤが予め登録されているものであると（Ｓ２６）、続いて、スマートフォン１７と通信可能であるかを確認する（Ｓ２７）。
【００８７】
制御部３０３は、ユーザ１００が紛失したスマートフォン１７と通信可能であれば（Ｓ２８：Ｙ）、スマートフォン１７のＩＤの識別認証を行う。すなわち、制御部３０３は、スマートフォン１７のＩＤ情報を読み出して、このＩＤがテーブルに予め登録されているものであるか否かを確認する（Ｓ２９）。制御部３０３は、ＩＣカード２１のＩＤがテーブルに予め登録されているものでなければ（Ｓ３０：Ｎ）、処理を終了する。一方、制御部３０３は、ＩＣカード２１のＩＤがテーブルに予め登録されているものであれば（Ｓ３０：Ｙ）、続いて、ロック／アンロックの交換処理を行う（Ｓ３１）。すなわち、制御部３０３は、通信部３０２によりユーザ１００が紛失したスマートフォン１７と通信し、スマートフォン１７がキー記憶部１７２で記憶するＩＤキーをユニークＩＤキーからノーマルＩＤキーに変更する。また、制御部３０３は、Ｒ／Ｗ機器４０に対してＩＣカード２１がキー記憶部２１２で記憶するＩＤキーをノーマルＩＤキーからユニークＩＤキーに変更するよう指示する。
【００８８】
Ｒ／Ｗ機器４０の制御部４０４は、サーバ３０からＩＤキーの変更指示を受信すると（Ｓ１０：Ｙ）、フラグを変更して、ＩＣカード２１のキー記憶部２１２が記憶するノーマルＩＤキーをユニークＩＤキーに変更する（Ｓ１１）。また、制御部４０４は、第一の段階として、キー記憶部２１２で記憶するクローンテーブルを更新する。
【００８９】
そして、制御部４０４は、このクローンテーブルの情報を、サーバ３０に送信する（Ｓ１２）。
【００９０】
サーバ３０の制御部３０３は、クローンテーブルの情報を受信すると、第二の段階として、機器情報記憶部で記憶するテーブルを、このクローンテーブルの情報に基づいて更新する（Ｓ３４）。
【００９１】
一方、サーバ３０の制御部３０３は、ステップＳ２８において、ユーザ１００が紛失したスマートフォン１７と通信できない場合には（Ｓ２８：Ｎ）、テーブルの内容を変更して、スマートフォン１７と次回通信するときに、キー記憶部１７２で記憶するＩＤキーをユニークＩＤキーからノーマルＩＤキーに変更する。また、制御部３０３は、Ｒ／Ｗ機器４０に対してＩＣカード２１がキー記憶部２１２で記憶するＩＤキーをノーマルＩＤキーからユニークＩＤキーに変更するよう指示する（Ｓ３２）。
【００９２】
Ｒ／Ｗ機器４０は、前記のステップＳ１０、Ｓ１１の処理を実行する。また、Ｒ／Ｗ機器４０は、ＩＤキーを変更してクローンテーブルを更新すると、前記のステップＳ１２を実行する。また、サーバ３０は、前記のステップＳ３３、Ｓ３４を実行する。
【００９３】
このように、ユーザ１００は、ＩＤ情報の出力がアンロック状態の電子機器１０を紛失したときでも、Ｒ／Ｗ機器４０とサーバ３０により、この電子機器１０をロック状態に変更できる。また、紛失した電子機器１０と通信ができないときにも、ユーザ１００が保持しているロック状態の電子機器１０をアンロック状態に変更してＩＤ情報を利用できる。
【００９４】
また、電子キーシステム１では、前記のように電子機器１０が記憶するＩＤ情報を使用するときには、その電子機器１０は必ずサーバ３０と通信して電子キーのＩＤ情報の確認を行う。そのため、上記のように、紛失した電子機器１０と通信できないときには、紛失した電子機器１０のＩＤ情報を第三者が使用しようとして、サーバ３０と通信するときに、ＩＤ情報の出力をアンロックからロックに変更する。これにより、スマートフォン１７はロック状態となり、第三者はスマートフォン１７のＩＤ情報を読み出すことができなくなる。
【００９５】
なお、ＩＤ情報の出力がアンロック状態のＩＣカード２１を紛失した場合にも、図７に示したフローチャートに基づいて説明した手順で処理を行う。但し、ＩＣカード２１は、紛失後にサーバ３０と直接通信できないので、ステップＳ２８に続いて必ずステップＳ３２を実行する。
【００９６】
このように、本発明では、電子機器１０を紛失したときには、コンビニエンスストアなどに設置されているＲ／Ｗ機器４０と、別の電子機器１０を通信させることで、紛失した電子機器１０をアンロック状態からロック状態に変更できる。これにより、動作可能な電子機器を紛失しても、紛失した電子機器のＩＤ情報を第三者に使用されるのを防止できる。
【００９７】
また、一般に紛失時においてサービスセンター等への電話番号がわからない場合があるが、お店等での本人確認だけで済むので、迅速にユニークＩＤキーとノーマルＩＤキーの変更を行うことが可能である。
【００９８】
以上のように、本発明では、複数の電子機器のうち、１つのみにユニークＩＤキーを付与し、また、複数の電子機器間でユニークＩＤキーを入れ替えることができる。これにより、ユーザが、電源がオンである電子機器を紛失しても、電子機器が記憶するＩＤ情報を第三者に使用されるのを防止できる。また、従来のように、電子機器を使用する毎に電源をオフにする必要がない。
【００９９】
なお、以上の説明では、電子機器がユニークＩＤキーを記憶しているときには、ＩＤキーの出力をアンロックし、電子機器がノーマルＩＤキーを記憶しているときには、ＩＤキーの出力をロックするとしたが、これに限るものではない。例えば、電子機器がユニークＩＤキーを記憶しているときには、電子機器の各種機能とＩＤキーの出力をアンロックし、電子機器がノーマルＩＤキーを記憶しているときには、電子機器の各種機能とＩＤキーの出力をロックするように設定することも可能である。
【符号の説明】
【０１００】
１…電子キーシステム  １０…電子機器  １１…腕時計  １３…デジタルカメラ  １７…スマートフォン  ２１…ＩＣカード  ２１…ＩＣカード  ３０…サーバ  ４０…Ｒ／Ｗ機器  ５０…ネットワーク  １００…ユーザ  １７１…機能部  １７２…キー記憶部  １７３…キー通信部  １７４…外部通信部  １７５…操作部  １７６…表示部  １７７…制御部  ２１２…キー記憶部  ２１３…近距離無線通信部  ２１４…表示部  ３０１…機器情報記憶部  ３０２…通信部  ３０３…制御部  ４０１…操作部  ４０２…外部通信部  ４０３…Ｒ／Ｗ部  ４０４…制御部  ４０５…表示部
【図１】
2013180044.tif 000003
【図２】
2013180044.tif 000004
【図３】
2013180044.tif 000005
【図４】
2013180044.tif 000006
【図５】
2013180044.tif 000007
【図６】
2013180044.tif 000008
【図７】
2013180044.tif 000009
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
複数の電子機器とサーバとがネットワーク接続されているネットワークにおいて、前記各電子機器のＩＤ情報の出力のロックとアンロックを管理する電子キーシステムであって、
前記サーバは、前記複数の電子機器のうち、一つの電子機器のみ該電子機器のＩＤ情報の出力をアンロックし、他の電子機器のＩＤ情報の出力をロックし、
前記各電子機器は、
自身のＩＤ情報の出力がアンロック状態の場合には、自身の電子機器のＩＤ情報の出力が前記サーバによって許可され、
自身のＩＤ情報の出力がロック状態の場合には、自身の電子機器のＩＤ情報の出力が前記サーバによって許可されない、電子キーシステム。
【請求項２】
前記サーバは、前記複数の電子機器のアンロック及びロック状態を示すテーブルを備える、請求項１に記載の電子キーシステム。
【請求項３】
前記各電子機器は、
自身のＩＤ情報の出力がアンロック状態の場合には、前記ＩＤ情報を出力する前に、前記サーバと識別認証を行い、
前記サーバとの識別認証が成功した場合には、自身の電子機器のＩＤ情報の出力が前記サーバによって許可され、
前記サーバとの識別認証が失敗した場合には、自身の電子機器のＩＤ情報の出力が前記サーバによって許可されない、請求項１または２に記載の電子キーシステム。
【請求項４】
前記サーバは、前記複数の電子機器のうちいずれか二つの電子機器がサーバに接続されて、前記二つの電子機器からＩＤ情報の出力のロックとアンロックの交換要求が出されると、前記二つの電子機器の識別認証後に前記テーブルを更新する、請求項２に記載の電子キーシステム。
【請求項５】
前記各電子機器は、
近距離無線通信手段と、
前記サーバが備えるテーブルと同一内容のクローンテーブルを備え、
前記二つの電子機器が前記近距離無線通信手段で接続され、前記二つの電子機器間において、ＩＤ情報の出力のロックとアンロックの交換要求が出されると、前記二つの電子機器の識別認証後に、第一の段階で前記クローンテーブルを更新し、第二の段階で前記サーバが前記テーブルを更新する、請求項２乃至４のいずれかに記載の電子キーシステム。
【請求項６】
前記サーバは、前記複数の電子機器のうちいずれか一つの電子機器がサーバに接続されて、前記電子機器と他の一つの電子機器とにおいて、ＩＤ情報の出力のロックとアンロックの交換要求が出されると、前記サーバに接続された電子機器の識別認証後に、前記サーバが前記テーブルを更新し、前記他の一つの電子機器がサーバに接続されたときに、前記電子機器の識別認証後に、前記更新したテーブルに基づいて、前記電子機器にＩＤ情報の出力を切り替えさせる、請求項２または４に記載の電子キーシステム。
【請求項７】
複数の電子機器とサーバとがネットワーク接続されているネットワークにおいて、前記各電子機器のＩＤ情報の出力のロックとアンロックとを前記サーバによって管理される、電子機器であって、
前記サーバは、前記複数の電子機器のうち、一つの電子機器のみ該電子機器のＩＤ情報の出力をアンロックし、他の電子機器のＩＤ情報の出力をロックし、
前記電子機器は、
自身のＩＤ情報の出力がアンロック状態の場合には、自身の電子機器のＩＤ情報の出力が前記サーバによって許可され、
自身のＩＤ情報の出力がロック状態の場合には、自身の電子機器のＩＤ情報の出力が前記サーバによって許可されない、電子機器。
【請求項８】
前記電子機器は、
自身のＩＤ情報の出力がアンロック状態の場合には、前記ＩＤ情報を出力する前に、前記サーバと識別認証を行い、
前記サーバとの識別認証が成功した場合には、自身の電子機器のＩＤ情報の出力が前記サーバによって許可され、
前記サーバとの識別認証が失敗した場合には、自身の電子機器のＩＤ情報の出力が前記サーバによって許可されない、請求項７に記載の電子機器。
【手続補正３】
【補正対象書類名】明細書
【補正対象項目名】０００９
【補正方法】変更
【補正の内容】
【０００９】
この発明の電子キーシステムは、複数の電子機器とサーバとがネットワーク接続されているネットワークにおいて、各電子機器のＩＤ情報の出力のロックとアンロックを管理する。サーバは、複数の電子機器のうち、一つの電子機器のみ該電子機器のＩＤ情報の出力をアンロックし、他の電子機器のＩＤ情報の出力をロックする。各電子機器は、自身のＩＤ情報の出力がアンロック状態の場合には、自身の電子機器のＩＤ情報の出力がサーバによって許可され、自身のＩＤ情報の出力がロック状態の場合には、自身の電子機器のＩＤ情報の出力がサーバによって許可されない。
【手続補正４】
【補正対象書類名】明細書
【補正対象項目名】００１４
【補正方法】変更
【補正の内容】
【００１４】
上記発明において、各電子機器は、自身のＩＤ情報の出力がアンロック状態の場合には、ＩＤ情報を出力する前にサーバと識別認証を行い、サーバとの識別認証が成功した場合には、自身の電子機器のＩＤ情報の出力がサーバによって許可され、サーバとの識別認証が失敗した場合には、自身の電子機器のＩＤ情報の出力がサーバによって許可されない。
【手続補正５】
【補正対象書類名】明細書
【補正対象項目名】００１６
【補正方法】変更
【補正の内容】
【００１６】
上記発明において、サーバは、複数の電子機器のうちいずれか二つの電子機器がサーバに接続されて、前記二つの電子機器からＩＤ情報の出力のロックとアンロックの交換要求が出されると、前記二つの電子機器の識別認証後にテーブルを更新する。
【手続補正６】
【補正対象書類名】明細書
【補正対象項目名】００１８
【補正方法】変更
【補正の内容】
【００１８】
上記発明において、各電子機器は、近距離無線通信手段と、サーバが備えるテーブルと同一内容のクローンテーブルを備えている。また、電子キーシステムでは、二つの電子機器が近距離無線通信手段で接続され、前記二つの電子機器間において、ＩＤ情報の出力のロックとアンロックの交換要求が出されると、前記二つの電子機器の識別認証後に、第一の段階でクローンテーブルを更新し、第二の段階でサーバがテーブルを更新する。
【手続補正７】
【補正対象書類名】明細書
【補正対象項目名】００１９
【補正方法】変更
【補正の内容】
【００１９】
この構成では、電子機器は、クローンテーブルと近距離無線通信手段を備えているので、サーバを介さずに電子機器間でＩＤ情報の出力のロックとアンロックを交換できる。これにより、電子機器を、サーバと通信できない場所でも、電子機器のＩＤ情報をロックからアンロックに切り換えて使用できる。また、クローンテーブルが更新された後に、電子機器とサーバが通信可能なときに、サーバのテーブルが更新されるので、電子キーシステムにおける各電子機器のＩＤ情報の出力のロックとアンロックの状態について整合をとることができる。
【手続補正８】
【補正対象書類名】明細書
【補正対象項目名】００２０
【補正方法】変更
【補正の内容】
【００２０】
上記発明において、サーバは、複数の電子機器のうちいずれか一つの電子機器がサーバに接続されて、前記電子機器と他の一つの電子機器とにおいて、ＩＤ情報の出力のロックとアンロックの交換要求が出されると、サーバに接続された電子機器の識別認証後に、サーバがテーブルを更新する。また、他の一つの電子機器がサーバに接続されたときに、前記電子機器の識別認証後に、更新後のテーブルに基づいて、前記電子機器にＩＤ情報の出力を切り替えさせる。
【手続補正９】
【補正対象書類名】明細書
【補正対象項目名】００２１
【補正方法】変更
【補正の内容】
【００２１】
この構成では、二つの電子機器のうち一方の電子機器と通信ができない場合でも、ＩＤ情報の出力のロックとアンロックを交換できる。したがって、ＩＤ情報の出力がアンロック状態の電子機器を紛失した場合でも、ＩＤ情報の出力がロック状態の電子機器をアンロック状態に切り替えて、ＩＤ情報を使用することができる。
この発明の電子機器は、複数の電子機器とサーバとがネットワーク接続されているネットワークにおいて、各電子機器のＩＤ情報の出力のロックとアンロックとをサーバによって管理される。サーバは、複数の電子機器のうち、一つの電子機器のみ該電子機器のＩＤ情報の出力をアンロックし、他の電子機器のＩＤ情報の出力をロックする。電子機器は、自身のＩＤ情報の出力がアンロック状態の場合には、自身の電子機器のＩＤ情報の出力がサーバによって許可され、自身のＩＤ情報の出力がロック状態の場合には、自身の電子機器のＩＤ情報の出力がサーバによって許可されない。
上記発明において、電子機器は、自身のＩＤ情報の出力がアンロック状態の場合には、ＩＤ情報を出力する前に、サーバと識別認証を行い、サーバとの識別認証が成功した場合には、自身の電子機器のＩＤ情報の出力がサーバによって許可され、サーバとの識別認証が失敗した場合には、自身の電子機器のＩＤ情報の出力がサーバによって許可されない。
【手続補正１０】
【補正対象書類名】明細書
【補正対象項目名】００２９
【補正方法】変更
【補正の内容】
【００２９】
サーバ３０は、電子機器１０の情報を管理する。また、サーバ３０は、複数の電子機器１０のうち一つの電子機器１０のみＩＤ情報の出力がアンロックされるようにＩＤ情報の使用を制御する制御部３０３（詳細は後述）を備えている。サーバ３０は、データセンタなどに設置されている。
【手続補正１１】
【補正対象書類名】明細書
【補正対象項目名】００３６
【補正方法】変更
【補正の内容】
【００３６】
操作部１７５は、ＩＤ情報の出力のロックとアンロックの交換要求操作など、ユーザの操作を受け付ける。
【手続補正１２】
【補正対象書類名】明細書
【補正対象項目名】００４４
【補正方法】変更
【補正の内容】
【００４４】
制御部３０３は、電子機器１０のＩＤ情報の読み出しが発生した際に、通信部３０２で通信して、登録された電子キーであるかを確認する。そして、ＩＤ情報の読み出しを許可または不許可する。
【国際調査報告】
2013180044.tif 000010
2013180044.tif 000011
2013180044.tif 000012
2013180044.tif 000013